(57)【要約】【課題】発光ダイオードの連結位置を簡単にかつ安易にしかも自由に変更できる照明装置において、より均一で低抵抗な装置及び他用途に利用できる装置を提供する。【解決手段】照明装置は、リード２を突出させている複数の発光ダイオード１と、複数の発光ダイオード１のリード２を電気接続する状態で連結する電源供給シートとを備える。電源供給シートは、炭素繊維を含む柔軟性を有する第１及び第２のシート状導電層を、柔軟性を有する絶縁層で挟んで密着している。照明装置は、発光ダイオードの短リードを、第１のシート状導電層に挿入して第１のシート状導電層に電気接続し、長リードを、第１のシート状導電層と絶縁層を通過して挿入して第２のシート状導電層に接続すると共に、長リードの少なくとも第１のシート状導電層に接続する部分は絶縁し、第２のシート状導電層より長リードに電気接続して、発光ダイオードに通電し発光させる。【選択図】  図１
2008103317.tif 000002
【特許請求の範囲】
【請求項１】
短リードと長リードの一対のリードを有する複数の発光ダイオードと、複数の発光ダイオードのリードを電気接続する電源供給シートとを備え、電源供給シートに連結された複数の発光ダイオードを、電源供給シートから発光ダイオードに通電して発光させる照明装置であって、
この電源供給シートは、炭素繊維を含む柔軟性を有する第１のシート状導電層と、炭素繊維を含む柔軟性を有する第２のシート状導電層とが、柔軟性を有する絶縁層を対向する形で挟んで密着しており、第１のシート状導電層と第２のシート状導電層は絶縁層よりも厚みにおいて薄くなるように構成され、
発光ダイオードの短リードは、第１のシート状導電層または第１のシート状導電層と絶縁層に挿入されて、第１のシート状導電層より短リードに電気接続し、長リードは、第１のシート状導電層と絶縁層を通過して挿入されて第２のシート状導電層に接続し、長リードの少なくとも第１のシート状導電層に接続する部分は絶縁されてあって、第２のシート状導電層より長リードに電気接続して、発光ダイオードに通電し発光させるようにしてなる発光ダイオードの照明装置。  
【請求項２】
短リードと長リードの一対のリードを有する複数の発光ダイオードと、複数の発光ダイオードのリードを電気接続する電源供給シートとを備え、電源供給シートに連結された複数の発光ダイオードを、電源供給シートから発光ダイオードに通電して発光させる照明装置であって、
この電源供給シートは、炭素繊維で抄紙され柔軟性を有する第１のシート状導電層と炭素繊維で抄紙され柔軟性を有する第２のシート状導電層とが、柔軟性を有する絶縁層を対向する形で挟んで密着しており、第１のシート状導電層と第２のシート状導電層は絶縁層よりも厚みにおいて薄くなるように構成され、
発光ダイオードの短リードは、第１のシート状導電層または第１のシート状導電層と絶縁層に挿入されて、第１のシート状導電層より短リードに電気接続し、長リードは、第１のシート状導電層と絶縁層を通過して挿入されて第２のシート状導電層に接続し、長リードの少なくとも第１のシート状導電層に接続する部分は絶縁されてあって、第２のシート状導電層より長リードに電気接続して、発光ダイオードに通電し発光させるようにしてなる請求項１に記載される発光ダイオードの照明装置。
【請求項３】
前記第１のシート状導電層と第２のシート状導電層が、炭素繊維と合成繊維又は天然繊維からなる有機繊維を混合して立体的に集合してなるシート状である請求項１に記載される発光ダイオードの照明装置。
【請求項４】
第１のシート状導電層と第２のシート状導電層は、その炭素繊維の長さが短く交絡し、毛羽立つものであって、発光ダイオードのリードを挿入してのち抜き取っても、リードの挿入の痕跡としての穴がないか、もしくは穴の周りの繊維を寄せるなどして、修復可能である請求項１ないし３のいずれかに記載される発光ダイオードの照明装置。
【請求項５】
第１のシート状導電層と第２のシート状導電層は、その厚みが０．１ミリメートルから３．０ミリメートルとする請求項１ないし４のいずれかに記載される発光ダイオードの照明装置。
【請求項６】
第１のシート状導電層には第１電極線が密接して配設され、第２のシート状導電層には第２電極線が密接して配設され、第１のシート状導電層と第２のシート状導電層が組み合わさって電極供給シートを構成するとき、第１電極線と第２電極線は交互に列をなして、発光ダイオードの一対のリードのなす間隔よりも、第１電極線と第２電極線の線間隔が大きくなるように構成された請求項１ないし５のいずれかに記載される発光ダイオードの照明装置。
【請求項７】
短リードと長リードの一対のリードを有する複数の発光ダイオードのリードを電気接続する電源供給シートを備え、電源供給シートに連結された複数の発光ダイオードを、電源供給シートから発光ダイオードに通電して発光させる照明装置に用いる電源供給装置であって、
この電源供給シートは、炭素繊維を含む柔軟性を有する第１のシート状導電層と、炭素繊維を含む柔軟性を有する第２のシート状導電層とが、柔軟性を有する絶縁層を対向する形で挟んで密着しており、第１のシート状導電層と第２のシート状導電層は絶縁層よりも厚みにおいて薄くなるように構成され、
発光ダイオードの短リードは、第１のシート状導電層または第１のシート状導電層と絶縁層に挿入されて、第１のシート状導電層より短リードに電気接続し、長リードは、第１のシート状導電層と絶縁層を通過して挿入されて第２のシート状導電層に接続し、長リードの少なくとも第１のシート状導電層に接続する部分は絶縁されてあって、第２のシート状導電層より長リードに電気接続して、発光ダイオードに通電し発光させる発光ダイオードの照明装置に用いる電源供給装置。
【請求項８】
短リードと長リードの一対のリードを有する複数の発光ダイオードのリードを電気接続する電源供給シートを備え、電源供給シートに連結された複数の発光ダイオードを、電源供給シートから発光ダイオードに通電して発光させる照明装置に用いる電源供給装置であって、
この電源供給シートは、炭素繊維で抄紙され柔軟性を有する第１のシート状導電層と炭素繊維で抄紙され柔軟性を有する第２のシート状導電層とが、柔軟性を有する絶縁層を対向する形で挟んで密着しており、第１のシート状導電層と第２のシート状導電層は絶縁層よりも厚みにおいて薄くなるように構成され、
発光ダイオードの短リードは、第１のシート状導電層または第１のシート状導電層と絶縁層に挿入されて、第１のシート状導電層より短リードに電気接続し、長リードは、第１のシート状導電層と絶縁層を通過して挿入されて第２のシート状導電層に接続し、長リードの少なくとも第１のシート状導電層に接続する部分は絶縁されてあって、第２のシート状導電層より長リードに電気接続して、発光ダイオードに通電し発光させる請求項７に記載される発光ダイオードの照明装置に用いる電源供給装置。
【請求項９】
前記第１のシート状導電層と第２のシート状導電層が、炭素繊維と合成繊維又は天然繊維からなる有機繊維を混合して立体的に集合してなるシート状である請求項７に記載される発光ダイオードの照明装置に用いる電源供給装置。
【請求項１０】
第１のシート状導電層と第２のシート状導電層は、その炭素繊維の長さが短く交絡し、毛羽立つものであって、発光ダイオードのリードを挿入してのち抜き取っても、リードの挿入の痕跡としての穴がないか、もしくは穴の周りの繊維を寄せるなどして、修復可能である請求項７ないし９のいずれかに記載される発光ダイオードの照明装置に用いる電源供給装置。
【請求項１１】
第１のシート状導電層と第２のシート状導電層は、その厚みが０．１ミリメートルから３．０ミリメートルとする請求項７ないし１０のいずれかに記載される発光ダイオードの照明装置に用いる電源供給装置。
【請求項１２】
第１のシート状導電層には第１電極線が密接して配設され、第２のシート状導電層には第２電極線が密接して配設され、第１のシート状導電層と第２のシート状導電層が組み合わさって電極供給シートを構成するとき、第１電極線と第２電極線は交互に列をなして、発光ダイオードの一対のリードのなす間隔よりも、第１電極線と第２電極線の線間隔が大きくなるように構成された請求項７ないし１１のいずれかに記載される発光ダイオードの照明装置に用いる電源供給装置。
【発明の詳細な説明】
【技術分野】
【０００１】
本発明は、発光ダイオードを使用する照明装置に関し、特に多数の発光ダイオードを自由な位置に連結して発光できる照明装置と、この照明装置に使用する電源供給装置に関する。
【背景技術】
【０００２】
発光ダイオードの電源供給装置に使用する導電ボードは、導電性を有するシート状のものであるが、発光ダイオードが充分に点灯させることのできる抵抗をもち、しかしながら低抵抗な導電ボードを利用している。
【特許文献１】特開２００５−１９１５２０号公報
【特許文献２】特開２００１−３５６７２２号公報
【特許文献３】登録実用新案第３１１２６３０号
【０００３】
これらの公報では、電源供給装置用の導電ボードは、導電性樹脂製、導電性綿布等又は、低抵抗な金属製メッシュ等の導電ボードを利用し、そのままもしくは、リード線の縫製、接着、配置することにより、全ての発光ダイオードに通電して発光するようにしている。
【発明の開示】
【発明が解決しようとする課題】
【０００４】
以上のように、発光ダイオードを半田付けすることなく電源を供給する照明装置では、導電部は、導電性樹脂製、導電性綿布等又は、低抵抗な金属製メッシュ等であり、さらにそのままもしくは、リード線を縫製、接着、配置することにより配設する、又導電部に導電製塗料を塗布することにより、低抵抗な状態で導電する導電シートを利用している。よって、導電部の製造コストが高くなっている。
【０００５】
また、導電部は、導電性樹脂製で作成した場合、０．５ｍｍ以上の厚みがあり、フレキシブルに曲げることが不可能である。
【０００６】
従来の導電ボードでは、ＶＦが異なる発光ダイオードは、配置する発光ダイオードの数、位置等により同時に点灯さすと、明るさが異なる、もしくは点灯しづらい等の問題があった。
【０００７】
樹脂製の導電性ボードに、発光ダイオードを挿入し導通させ発光させるが、発光ダイオードの挿入位置を微調整するとき、同じ場所に何度も挿入を繰り返すために、穴ができてしまい、通電しづらくなる現象が発生する。また、その穴が大きくなると、発光ダイオードを自由な位置に挿すことができないという本来の目的を充分に果たせなくなる等の欠点があった。
【０００８】
発砲性樹脂等のシート状導電層を使用した場合、発光ダイオードのリードとの間に接触抵抗が発生していた。
【０００９】
本発明は、上記欠点を解決することを目的に開発されたものである。本発明の重要な目的は、自由な位置に発光ダイオードを装着させ、通電させることのできる発光ダイオードの電源供給装置に使用される、導電部を、簡易かつ低コストで利用でき、さらにその導電部は薄く、フレキシブルなものであり、また同じ位置に発光ダイオードを複数回挿しても、穴が広がらず、常に通電して発光するシート状導電層を備える発光ダイオードの照明装置とこの照明装置に使用する電源供給装置を提供することにある。
【課題を解決するための手段】
【００１０】
本発明の照明装置は、短リードと長リードの一対のリードを有する複数の発光ダイオードと、複数の発光ダイオードのリードを電気接続する電源供給シートとを備え、電源供給シートに連結された複数の発光ダイオードを、電源供給シートから発光ダイオードに通電して発光させる。電源供給シートは、炭素繊維を含む柔軟性を有する第１のシート状導電層と、炭素繊維を含む柔軟性を有する第２のシート状導電層とが、柔軟性を有する絶縁層を対向する形で挟んで密着しており、第１のシート状導電層と第２のシート状導電層は絶縁層よりも厚みにおいて薄くなるように構成している。発光ダイオードの短リードは、第１のシート状導電層または第１のシート状導電層と絶縁層に挿入されて、第１のシート状導電層より短リードに電気接続し、長リードは、第１のシート状導電層と絶縁層を通過して挿入されて第２のシート状導電層に接続し、長リードの少なくとも第１のシート状導電層に接続する部分は絶縁されてあって、第２のシート状導電層より長リードに電気接続して、発光ダイオードに通電し発光させるようにしている。
【００１１】
本発明の電源供給装置は、短リードと長リードの一対のリードを有する複数の発光ダイオードのリードを電気接続する電源供給シートを備え、電源供給シートに連結された複数の発光ダイオードを、電源供給シートから発光ダイオードに通電して発光させる。電源供給シートは、炭素繊維を含む柔軟性を有する第１のシート状導電層と、炭素繊維を含む柔軟性を有する第２のシート状導電層とが、柔軟性を有する絶縁層を対向する形で挟んで密着しており、第１のシート状導電層と第２のシート状導電層は絶縁層よりも厚みにおいて薄くなるように構成している。電源供給装置は、発光ダイオードの短リードが第１のシート状導電層または第１のシート状導電層と絶縁層に挿入されて、第１のシート状導電層より短リードに電気接続し、長リードが第１のシート状導電層と絶縁層を通過して挿入されて第２のシート状導電層に接続されると共に、長リードの少なくとも第１のシート状導電層に接続する部分は絶縁されており、第２のシート状導電層より長リードに電気接続して、発光ダイオードに通電し発光させる。
【００１２】
第１のシート状導電層と第２のシート状導電層は、カーボン短繊維を交絡されて抄紙した紙状のシート状とすることができる。このシート状導電層は大変低抵抗にできる。よって、特には電線等の縫製、配設等の必要なく、発光ダイオードの照明装置の導電部として利用すると、発光ダイオードに通電し点灯さすことが出来る。
【００１３】
第１のシート状導電層と第２のシート状導電層は、炭素繊維と合成繊維又は天然繊維からなる有機繊維を混合して立体的に集合してなるシート状とすることができる。
【００１４】
第１のシート状導電層と第２のシート状導電層であるシート状導電層は、短くカットされたカーボン繊維を混合させて出来ている導電体である。よって発光ダイオードを挿入させたとき、発光ダイオードの足が挿通する部分に穴が開くのではなく、その部分の繊維と繊維の間をよける形で発光ダイオードのリードが差し込まれ、穴を開けることなく発光ダイオードを挿入し、通電して点灯する。
【００１５】
シート状導電層は、繊維と繊維の間に発光ダイードのリード部が挿入するようになっているため、その部分は穴があかず、何度も同じ場所に挿しても、穴が出来ないため、いつまでも良好な通電状態を保つことができる。
【００１６】
シート状導電層は、繊維と繊維の間に発光ダイオードのリード部が挿入するようになっているため、その部分は穴があかず、繊維は断ち切られず、長さの短い繊維間をかき分けて差し込まれるため、発光ダイオードを抜くと、また繊維は初めの状態に近い状態に戻る、もしくは、軽く指でなでる程度で、穴は修復される。
【００１７】
さらに、シート状導電層は、短い繊維と繊維が折り重なるようにして形成されているため、発光ダイオードのリードを挿入する際、繊維がリードに沿って、リードの挿通部分にあった繊維が、リードに密着するため、確実に通電する。
【００１８】
また、シート状導電層は、電線等を縫製、配設することによって、さらに均一の導電状態を得ることもできる。
【発明の効果】
【００１９】
本発明の照明装置と電源供給装置は、シート状導電層を利用することで、大幅な工程の削減及びコストの削減を行うことができる。
【００２０】
本発明の照明装置と電源供給装置のシート状導電層は、複数回同じ部分に発光ダイオードのリードを挿入しても、穴があくのではなく、繊維が発光ダイオードのリードをよける状態となっており、上又は下方向によけた短い繊維がリードの表面に沿うように密着し、そのことにより、電気的接触させる面積が広くなり、結果、薄いシート状であるにもかかわらず、充分な導電性を有する。
【００２１】
また、本発明の照明装置と電源供給装置は、シート状導電層が柔軟性を有するので、フレキシブルであり、従来の電源装置では難しかった複雑な形状に形成すること、複雑に隆起した面に沿わすことも可能である。
【００２２】
本発明の照明装置と電源供給装置のシート状導電層は、フレキシブルであるため、衣料や、布、カーテンなど、光るクロスとして利用でき、従来以上に厚みをなくし、軽くし、柔らかい形状をなすことができる。
【００２３】
本発明の照明装置と電源供給装置は、シート状導電層に、さらに、リード線の配設や、低抵抗な物質の配設を行うとさらに均一に、低抵抗に通電する。またこの配設されるリード線や低抵抗な物質は、従来の導電部に配設されているものより、広い間隔で配設することができる。
【００２４】
本発明の照明装置と電源供給装置照明装置のシート状導電層は、高耐熱性にできるので、高温環境にて変形等をせず、高温の環境でも利用することができる。
【００２５】
本発明の照明装置と電源供給装置のシート状導電層は、ＶＦの異なる発光ダイオードを点灯させるために適切な抵抗を有するため、通常別配線となる、青、赤等の発光ダイオードを同時に点灯させることができる。
【００２６】
また、シート状導電層は、正負極あるが、その間を絶縁シートで絶縁層を設けることにより絶縁する。絶縁層は、通常シート状導電層より厚いものを用い、機械的に発光ダイオードを保持する働きを果たす。
【００２７】
本装置を利用し電気的に導通させ利用するものは発光ダイオードのみではなく、数本の端子をもち、低電圧で導通し使用される抵抗等その他の機器も利用可能である。
【発明を実施するための最良の形態】
【００２８】
以下、本発明の実施例を図面に基づいて説明する。ただし、以下に示す実施例は、本発明の技術思想を具体化するための照明装置を例示する物であって、本発明は照明装置を以下のものに限定しない。
【００２９】
本発明の照明装置は、複数の発光ダイオード１と、これらの発光ダイオード１のリード２を電気接続する状態で連結する電源供給装置３とを備える。照明装置は、電源供給装置３に連結された複数の発光ダイオード１を電源供給装置３から発光ダイオード１に通電して発光させる。電源供給装置３は、発光ダイオード１のリード２を連結する電源供給シートを備える。この電源供給シートは、第１のシート状導電層と第２のシート状導電層とを、柔軟性を有する絶縁層を対向する形で挟んでいる。シート状導電層は、発光ダイオード１のリード２を挿通してリード２に通電する導電性を有する。照明装置は、発光ダイオード１のリード２を電源供給シートに挿通し、電源供給シートから通電して点灯する。
【実施例】
【００３０】
図１、図２、図７の照明装置は、リード２を突出させている複数の発光ダイオードと、複数の発光ダイオード１のリード２をシート状導電層５により電気接続する状態で連結する電源供給装置３とを備える。電源供給装置３に連結された複数の発光ダイオード１は、電源供給装置３から通電され発光する。
【００３１】
図１の電源供給装置３は、発光ダイオード１のリード２を挿通して通電する第１のシート状導電層５及び第２のシート状導電層５にリード２を挿通してできる絶縁層４で絶縁して積層した構造としている。
【００３２】
図２及び図７の電源供給装置３は、発光ダイオード１のリード２を挿通して通電する第１のシート状導電層５、第２のシート状導電層５、第３のシート状導電層５、図７に関しては第４のシート状導電層５に、それぞれの間に絶縁層４で絶縁して積層した構造としている。
【００３３】
また、図示はしていないが、第４のシート状導電層までに限らず、さらに複数層のシート状導電層と絶縁層を交互に積層された構造もある。
【００３４】
シート状導電層は、ここに発光ダイオード１のリード２を挿通して発光ダイオードに通電出来るものであって、炭素繊維を抄紙されたものである。あるいは導電性繊維を含有させ作成したものである。これらの抄紙されたシート状導電層は発光ダイオード１のリード２をスムーズに挿通できる。
【００３５】
絶縁層４は、高抵抗な素材であって、接着可能な素材であり、発光ダイオード１のリード２をスムーズに挿通できる素材である。例えば、樹脂、紙、布等である。また、高抵抗で挿通がスムーズ出来ない素材については、挿通部分に穴を開け、リード２を挿通する。
【００３６】
シート状導電層５は、リード２に低抵抗に通電する導電性を有す。シート状導電層５は短い炭素繊維を抄紙して作られたものである。利用用途により、シート状導電層５に導電性物質を塗布、又は含浸し、あるいは低抵抗のリードを付し、シート状導電層５の抵抗値を操作して利用することができる。
【００３７】
シート状導電層５は、好ましくは長さが６ｍｍ以下の炭素繊維を含む繊維を立体的に方向性なく集合して柔軟性のあるシート状に加工させる。シート状導電層は湿式で抄紙し製造され、あるいは不織布のように乾式でシート状に加工することもできる。
【００３８】
シート状導電層５は、厚さと炭素繊維自体の電気抵抗で面抵抗率をコントロールできる。シート状導電層５は、厚くして、炭素繊維自体の電気抵抗を小さくして面抵抗率を小さく、薄くして炭素繊維自体の電気抵抗を大きくして面抵抗率を大きくできる。また、シート状導電層５は、炭素繊維に天然繊維又は合成繊維からなる有機繊維を混合して面抵抗率をコントロールすることもできる。混合する有機繊維には、たとえばＰＥ、ＰＥＴ、ＰＶＡ等の合成繊維や天然繊維を使用する。有機繊維の混合率を多くして、シート状導電層の面抵抗率を大きく、反対に混合量を少なくして面抵抗率を小さくできる。たとえば、炭素繊維に有機繊維を混合しているシート状導電層は、７０重量％の炭素繊維に３０重量％の有機繊維を混合し、厚さを０．５ｍｍ〜０．６ｍｍとして、面抵抗率を１００Ω／□〜２００Ω／□にできる。ただし、シート状導電層５の面抵抗率は、混合する炭素繊維の電気抵抗により変化する。
【００３９】
シート状導電層５の面抵抗率は、発光ダイオード１を点灯する明るさと、接続する電源電圧と、発光ダイオード１を点灯する規格電圧であるＶＦで最適値に設定される。発光ダイオードを明るく点灯する電源供給シートは、シート状導電層の面抵抗率を小さくする。また、低い電源電圧に接続される電源供給シートもシート状導電層の面抵抗率を小さくして、発光ダイオードを明るく点灯する。さらに、ＶＦの高い発光ダイオードを点灯する電源供給シートもシート状導電層の面抵抗率を小さくして、発光ダイオードを明るく点灯できる。シート状導電層の面抵抗率は、発光ダイオードの明るさ、電源電圧、ＶＦ等を考慮して、たとえば、５０Ω／□〜３００Ω／□として、用途に最適な値に設定される。
【００４０】
図３の（ａ）、（ｂ）、（ｃ）の発光ダイオードは、熱収縮するビニールにより絶縁部分を作る処理をおこなっている。これはビニールに限らず別樹脂等も在る。また、図３の（ｄ）、（ｅ）、（ｆ）に示す処理された発光ダイオードは、非導電性の液体を塗ることにより、絶縁処理を行っており、これらは電源供給層置３に挿入すれば、一方のリード２が一方のシート状導電層５と導通し、他方は絶縁され、導通しない構造となる。
【００４１】
図３の（ｂ）、（ｅ）の発光ダイオードは、３層以上のシート状導電部がある電源供給装置３にて使用する。図２の電源供給シートは、上層のシート状導電層５と、中間層のシート状導電層５と、下層のシート状導電層５を絶縁層４を介して積層している。図３の（ｂ）、（ｅ）の発光ダイオード１は、上層のシート状導電層５には導通させず、中間層と下層のシート状導電層にて導通する。図３の（ｂ）、（ｅ）の発光ダイオードを接続する電源供給シートは、中間層のシート状導電層５が短リードを接続する第１のシート状導電層となり、下層のシート状導電層５が長リードを接続する第２のシート状導電層となる。
【００４２】
図３の（ｃ）、（ｆ）の発光ダイオードは、三層以上のシート状導電層がある電源供給装置３にて使用する。図３の（ｃ）、（ｆ）の発光ダイオードを接続する電源供給シートは、長リードを上層と下層のシート状導電層に導通させ、短リードを中間層のシート状導電層に導通させる。したがって、この電源供給シートは、中間のシート状導電層が第１のシート状導電層となり、上層と下層のシート状導電層が第２のシート状導電層となる。前項及び本項の加工された発光ダイオードの使用例を図２に記している。
【００４３】
図１、図２、図７及び図８に記す電源供給装置３に接続されている発光ダイオード１のリード２の図は、図３における（ａ）ないし（ｃ）に示すリードとなっているが、リード２は、図３における（ｄ）ないし（ｆ）のリードでも利用される。
【００４４】
図４に示すように絶縁層４は、絶縁性を有し柔らかく可撓性を有する材質、例えば布、不織布、紙、樹脂、ゴム状シート、ウレタン等を用いて作成した電源供給装置３は、柔らかく、起伏のある場所に用いても、起伏に沿う形状で電源供給装置３を設置することができる。
【００４５】
本発明は、必ずしも電極線６が必要ではないが、図５に示すように、使用状況に応じて電極線６を配設することもある。電極線６の配設は、シート状導電層５への縫い込み、差し込みにより、シート状導電層５に面接して配置する。逆に、シート状導電層５へ電極線６が面接する形で、絶縁層４へ配設、縫い込み、差し込みをすることもできる。
【００４６】
電極線６は、必ずしも金属線に限らず、シート状導電層より低抵抗な導電性物質、例えば導電性の物質を塗布、含浸、付着、付加させ電極線とすることもできる。
【００４７】
図５の（ａ）と（ｂ）に示すシート状導電層５は、電極線６の配設例（櫛形配設）である。電極線６は、正極、負極が重ならないよう、交互になるよう配設する場合が多い。配設された電極線コモン側６ｂは、複数線になっており、電極線６の切断時の不導通となりにくい。この電極線６の配設ピッチは通常３ｃｍ〜１０ｃｍ間隔で配設されるが、利用用途によりそれ以上もそれ以下もあり得る。
【００４８】
図５の（ｃ）に示すシート状導電層５は、電極線６を配設された第１のシート状導電層５と、電極線を配設された第２のシート状導電層５を合わせた状態である。実際に見えていないはずの電極線６を点線にて記している。電極線６がリード２の距離２ｘ以下とならないよう、電極線間ピッチ６ａを長短のリードの間隔より広い間隔、通常５ｍｍ程度以上を設けている。また、図５の（ｄ）、（ｅ）、（ｆ）に、電極線配設の例（ｄ：回転配設、ｅ：渦巻配設、ｆ：パターン配設）を示す。電極線６の配設状態は、製品のサイズ、形状等により、変化する。
【００４９】
本発明の電源供給装置３は、絶縁層４、シート状導電層５、及び必要な場合カバーシート、裏側シート等を、部分的もしくは全面に、バインダーもしくは縫製、熱圧縮により固定され完成される。
【００５０】
図７に示す電源供給装置３は、四本のリード２を有する発光ダイオード１（例えば３ｉｎ１など）を利用できる。
【００５１】
この発光ダイオード１は、図９に示すように、赤、青、緑からなる三色の発光ダイオード１Ｒ、１Ｇ、１Ｂをひとつのケース１Ｘに収納している。したがって、３個の発光ダイオード１Ｒ、１Ｇ、１Ｂをひとつに一体化したものである。赤の発光ダイオード１Ｒは、短リードと長リードからなる一対のリード２を備え、緑の発光ダイオード１Ｇは、短リードと長リードからなる一対のリード２を備え、さらに、青の発光ダイオード１Ｂは、短リードと長リードからなる一対のリード２を備える。各々のカラーの発光ダイオード１Ｒ、１Ｇ、１Ｂは、図７に示すように、短リードと長リードをシート状導電層５に接続している。このことから、この電源供給シートは、各色の発光ダイオードの短リードを接続するシート状導電層５が第１のシート状導電層となり、長リードを接続するシート状導電層５を第２のシート状導電層とする。
【００５２】
さらに、図７に示す電源供給装置３は、それぞれのシート状導電層５に導電する電送用電源７、７、７を備える。それぞれのシート状導電層５は、電送用電源７、７、７に接続され、別々に電圧をコントロールすることにより、電源供給装置３に接続される発光ダイオードの色調を変化させることができる。
【図面の簡単な説明】
【００５３】
【図１】本発明の実施例にかかる照明装置の拡大断面図である。
【図２】本発明の他の実施例にかかる照明装置の拡大断面図ある。
【図３】他の実施例にかかる発光ダイオードの加工例である。
【図４】本発明の他の実施例にかかる照明装置の斜視図である。
【図５】本発明の他の実施例にかかるシート状導電層の電極線の配設図である。
【図６】本発明の他の実施例にかかる照明装置である。
【図７】本発明の他の実施例にかかる照明装置の拡大断面図である。
【図８】本発明の電源供給シートを照明装置として利用時の拡大断面図である。
【図９】図７に示す発光ダイオードの概略構成図である。
【符号の説明】
【００５４】
１・・・発光ダイオード
１Ｒ・・・発光ダイオード
１Ｇ・・・発光ダイオード
１Ｂ・・・発光ダイオード
１Ｘ・・・ケース
２・・・リード
２ｘ・・・リード間距離
３・・・電源供給装置
４・・・絶縁層
５・・・シート状導電層
６・・・電極線
６ａ・・・電極線ピッチ
６ｂ・・・電極線コモン側
７・・・電送用電源
【図１】
2008103317.tif 000003
【図２】
2008103317.tif 000004
【図３】
2008103317.tif 000005
【図４】
2008103317.tif 000006
【図５】
2008103317.tif 000007
【図６】
2008103317.tif 000008
【図７】
2008103317.tif 000009
【図８】
2008103317.tif 000010
【図９】
2008103317.tif 000011